(57)【要約】      （修正有）【課題】夏、冬ともに快適に過ごすための装身具を提供する。【解決手段】人体温度を効率よく温め又は冷やすために頸動脈付近を冷却加熱する。冷却加熱にはペルチエ効果を利用した半導体冷熱素子を用い、ネクタイ、マフラー、首巻き、シャツの襟等の首を巻くものに対して、冷熱素子を取り付ける。また、冷熱素子はバッテリとケーブルによって接続され、さらに冷却効率向上のため加熱側にアルミ等の放熱フィンを設けることもできる。【選択図】図４
2019183289.tif 000002
【特許請求の範囲】
【請求項１】
頸動脈付近を冷却する事を特徴とするネクタイ、マフラー、首巻き、シャツ等装身具
【発明の詳細な説明】
【技術分野】
【０００１】
夏や暑い場所で涼しくする技術
【背景技術】
【０００２】
地球温暖化で気温が上昇している一方、電力不足でクーラーの温度を上げるため、夏が暑いのでクールビズと称しネクタイをせず首を開けているが暑い。一方冬もエネルギ節約で寒い。
【発明の概要】
【発明が解決しようとする課題】
【０００３】
前述したように現在のいわゆるクールビズでは、夏場暑くて仕事の能率も上がらない。また、冬もエネルギ節約で寒い。本発明はこれらを解決するものである。
【課題を解決するための手段】
【０００４】
本発明はこのような課題に鑑みてなされたものであって、人体温度を最も効率的に温め又は冷やすため人間の頸動脈に注目し、ここを冷却加熱する。そのため首を巻くもの、例えばネクタイ、マフラーやシャツ自体のエリ部分に冷熱素子を設ける。
【発明の効果】
【０００５】
冷房エネルギや暖房エネルギを節減できる上、本人は快適で、又、ファッション性も良く、更に寒地や熱地で冷暖房の無い所でも快適であり、又、温度が高い又は、低い過酷な職場でも使用して作業能率が向上する上、コストが安く、軽く、薄く、携帯に便利なので毎日の業務や出張等にも使用できる極めて大きな効果がある。
【図面の簡単な説明】
【０００６】
【図１】本発明実施例１（マフラー）を示す平面展開図
【図２】本発明マフラーを使用している正面図
【図３】本発明実施例２（ネクタイ）の平面展開図
【図４】本発明実施例３（シャツ）の平面展開図
【図５】図４に示す実施例３の上断面図
【図６】図４の本発明シャツを着た正面図。バッテリ収容をポケット又はベルトに。
【図７】本発明首回りを上から見た図          ７−a：冷却面を内側とした実施例４−１          ７−b：放熱面を内側とした実施例４−２
【図８】本発明実施例の首巻き          ８―a:首巻き１９をアルミ等熱伝導体としてその外部に冷熱素子を設けて冷却を首全体に伝わらせ、且つバッテリ３を外側にした本発明実施例５          ８―b:首巻き１９の内側に冷熱素子を設け、熱を首全体に分散温め且つ、バッテリ３を首の後ろ部に搭載した本発明実施例６の説明図          ８―c:冷熱素子に放熱フィン２０を設け、バッテリ３を正面に配置した本発明実施例７の説明図
【発明を実施するための形態】
【０００７】
図１は本発明の実施例１を示す模式図である。マフラ１の首巻き部にペルチエ効果を利用した半導体冷熱素子２を頸動脈の位置に２個設け、そのほぼ中央にバッテリ３を設け、前記素子２とバッテリ３をつなぐケーブル４を設ける。
【０００８】
図２は図１のマフラ１を使用者５が使用している状態を示し、使用者５の頸動脈の位置に冷熱素子が来るように巻く。本発明は夏や暑い場所でも効果的に人体を冷却するには、人体の大動脈に通じる頸動脈を冷却するのが最も効率が良い事を発見し、それを具体化したものである。
【０００９】
図３は本発明第２の実施例で、ネクタイである。ネクタイ７の首巻き部に二つのポケット８を設け、ここに冷熱素子２が入るようにする。バッテリ３はネクタイを締めた後、胸ポケット等に入れる。
【００１０】
図４は本発明第３の実施例で、シャツである。シャツ１０のエリ１２の襟ぐり１１に袋８を設け、その袋８に通気孔９を設けたものである。
【００１１】
図５は図４の本発明シャツ１０の襟ぐり１１を上から見た図で袋８の中に冷熱素子２を入れた状態である。
この２つの袋の位置は、着ている人の頸動脈１６の位置に来るようにする。
これにより冷熱素子２の冷気１４が効率よく頸動脈の中の血液を冷却し、これが大動脈を通じ全身を有効に短時間に強力に冷却できる。
【００１２】
図６は本発明シャツを使用者が着た状態で、２つの冷熱素子２が使用者の頸動脈の位置に来る。バッテリ３はポケット１３に入れたり、バックル１８で締めた
ベルト１７に引っ掛ける、引っ掛け３１を設けたボックス３０に収納する。
【００１３】
図７は本発明の実施例で
７−a図は、冷熱素子２の冷却側を内向きに設けた場合
７−b図は、外向きに設けた場合の実施例である
これにより同一の装具で夏用は（７−a図）、冬用は（７−b図）と一年中使用出来る。同様に暑い場所でも冷たい場所でも使用出来るのが、本発明の大きな効果の一つである。
【００１４】
図８は本発明の首巻きの第５、第６、第７の実施例をそれぞれ（a）（b）（c）図で示す。
【００１５】
８−９図は、本発明首巻きベルト部１９をアルミ等熱伝導率の良い物質で形成し、これに冷熱素子２をベルト１９の外側に設けたものである。これにより冷たさCが頸動脈を直接冷やすと共に、アルミベルト１９により首全体を冷却出来る。バッテリ３はポケット等に入れる。
【００１６】
８−b図は冷却部２をベルト１９の内側に設け、頸動脈を冷却すると同時に、前記冷熱部２の加熱計が熱良導体のベルト１９を通して、他の首の部分を加熱（H）する。
【００１７】
８−c図は、冷熱素子２をゴムや布等非熱伝体で少なくとも外側を形成したベルト２２の外側に設け、前記冷熱素子２の加熱側にアルミ等の放熱フィン２０を設けたものである。これにより有効に放熱されるので、素子の冷却効率が向上し、頸動脈を強力に冷却出来る。またベルト２２がゴムや布等スリップし難い材料なので、頸へのホールドが安定する。
【産業上の利用可能性】
【００１８】
本発明により夏や暑い作業場所で有効に涼しい装身具を提供できるので産業上の利用可能性があり、工場や事務の作業能率が上がるので産業上の利用可能性大である。
【符号の説明】
【００１９】
１  本発明マフラ
２  半導体冷熱素子
３  半導体冷熱素子駆動バッテリ
４  バッテリで熱冷熱素子を駆動する電線
５  本発明を使用する人
６  本発明を使用する人の頸動脈
７  本発明ネクタイ
８  ネクタイに設けた袋
９  袋８に設けた放熱の孔
１０  本発明シャツ
１１  本発明シャツの襟ぐり
１２  同上襟
１３  ポケット（バッテリ３を収納）
１４  冷却
１５  加熱
１６  本発明を使用する人の頸動脈の位置
１７  ベルト
１８  バックル
１９  本発明首巻き
２０  半導体冷却素子の高温側に設けた放熱ファン
２１  シャツの袖
【図１】
2019183289.tif 000003
【図２】
2019183289.tif 000004
【図３】
2019183289.tif 000005
【図４】
2019183289.tif 000006
【図５】
2019183289.tif 000007
【図６】
2019183289.tif 000008
【図７】
2019183289.tif 000009
【図８】
2019183289.tif 000010
【手続補正書】
【提出日】平成31年1月24日(2019.1.24)
【手続補正１】
【補正対象書類名】特許請求の範囲
【補正対象項目名】全文
【補正方法】変更
【補正の内容】
【特許請求の範囲】
【請求項１】
冷熱素子を備えた装身具であって、頸動脈を直接冷却する事により頸動脈に流れる血流を通じて全身が冷却され、冷熱素子を裏返す事により頸動脈を直接加熱して、頸動脈に流れる血流により全身を温める事を特徴とするネクタイ、マフラー、首巻き、シャツ等の衣類
【請求項２】
請求項１の衣類を用いて、冷熱素子で頸動脈を直接冷却する事により頸動脈に流れる血流を通じて全身が冷却され、冷熱素子を裏返す事により頸動脈を直接加熱して、頸動脈に流れる血流により全身を温める事を特徴とする方法